(57)【特許請求の範囲】
【請求項１】
マッサージ機であって、
前記マッサージ機は、マッサージ部、操作部、および、熱源を有し、
前記マッサージ部は、マッサージ動作を形成し、
前記操作部は、前記マッサージ部の動作内容を選択する選択モードを有し、
前記熱源は、前記マッサージ動作が形成される期間であるマッサージ動作期間以外の期間である非マッサージ動作期間の少なくとも一部において、前記操作部が操作されても出力が変化しない
マッサージ機。
【請求項２】
前記熱源は、前記非マッサージ動作期間のうち、前記操作部の前記選択モードが選択されている期間である設定操作期間以外の期間の少なくとも一部において、前記操作部が操作されても出力が変化しない
請求項１に記載のマッサージ機。
【請求項３】
前記熱源は、前記非マッサージ動作期間の全てにおいて、前記操作部が操作されても出力が変化しない
請求項１に記載のマッサージ機。
【請求項４】
前記非マッサージ動作期間は、前記操作部が電源オンの状態を形成し、かつ、前記操作部が前記選択モードを選択していないときを含む
請求項１〜３のいずれか一項に記載のマッサージ機。
【請求項５】
前記非マッサージ動作期間は、前記マッサージ部の前記マッサージ動作が終了し、かつ、前記操作部が前記選択モードを選択していないときを含む
請求項１〜４のいずれか一項に記載のマッサージ機。
【請求項６】
前記設定操作期間は、前記マッサージ部のマッサージ動作が終了し、かつ、前記操作部が前記選択モードを選択しているときを含む
請求項２に記載のマッサージ機、または、請求項２を引用する請求項４または５に記載のマッサージ機。
【発明の詳細な説明】
【技術分野】
【０００１】
本発明は、使用者の身体に熱を付与して温熱施療を行うための熱源を備えるマッサージ機に関するものである。
【背景技術】
【０００２】
近年、マッサージ機において、使用者の身体に接触する接触部分、例えば座部や背もたれ部に熱源であるヒータを備え、マッサージ手段によるマッサージを行うとともに使用者の身体に熱を付与して温熱施療を行うマッサージ機が開発されている。このようなマッサージ機において、使用者により熱源を駆動させるヒータスイッチ（ヒータボタン）が操作部に設けられ、使用者の操作に基づいて制御部が熱源に電力を供給して温熱施療を行うようになっているものがある（例えば特許文献１参照）。
【先行技術文献】
【特許文献】
【０００３】
【特許文献１】特開２０１１−４８９号公報
【発明の概要】
【発明が解決しようとする課題】
【０００４】
しかしながら、上記のようなマッサージ機では、例えば使用者がマッサージ機を使用していないときに不意にヒータスイッチが操作されると、マッサージが行われていないにも関わらず熱源に電力が供給され不要な電力が消費されてしまう。しかも、このような不意なスイッチ操作は、動作を伴うマッサージが停止しているため、使用者が気付かない可能性が高く、こういった事態に陥り易い。
【０００５】
本発明は、上記課題を解決するためになされたものであって、その目的は、省電力化を図ることができるマッサージ機を提供することにある。
【課題を解決するための手段】
【０００６】
上記課題を解決するために、本発明のマッサージ機は、マッサージ部、操作部、および、熱源を有し、前記マッサージ部は、マッサージ動作を形成し、前記操作部は、前記マッサージ部の動作内容を選択する選択モードを有し、前記熱源は、前記マッサージ動作が形成される期間であるマッサージ動作期間以外の期間である非マッサージ動作期間の少なくとも一部において、前記操作部が操作されても出力が変化しないことを特徴とする。
【０００７】
また上記構成においては、前記熱源は、前記非マッサージ動作期間のうち、前記操作部の前記選択モードが選択されている期間である設定操作期間以外の期間の少なくとも一部において、前記操作部が操作されても出力が変化しないことが好ましい。
【０００８】
また上記構成においては、前記熱源は、前記非マッサージ動作期間の全てにおいて、前記操作部が操作されても出力が変化しないことが好ましい。
また上記構成においては、前記非マッサージ動作期間は、前記操作部が電源オンの状態を形成し、かつ、前記操作部が前記選択モードを選択していないときを含むことが好ましい。
【０００９】
また上記構成においては、前記非マッサージ動作期間は、前記マッサージ部の前記マッサージ動作が終了し、かつ、前記操作部が前記選択モードを選択していないときを含むことが好ましい。
また上記構成においては、前記設定操作期間は、前記マッサージ部のマッサージ動作が終了し、かつ、前記操作部が前記選択モードを選択しているときを含むことが好ましい。
【発明の効果】
【００１１】
本発明によれば、省電力化を図ることができるマッサージ機を提供することができる。
【図面の簡単な説明】
【００１２】
【図１】本実施形態におけるマッサージ機の概略斜視図。
【図２】マッサージ機の電気的構成を説明するためのブロック図。
【図３】操作器の正面図。
【図４】ヒータの駆動制御について説明するためのタイミングチャート。
【図５】ヒータの駆動制御について説明するためのタイミングチャート。
【図６】別例における足部用保持部の内部に配置されたヒータ及びエアバッグの断面図。
【図７】別例における脚部用保持部の正面図。
【発明を実施するための形態】
【００１３】
以下、本発明を具体化した一実施形態を図面に従って説明する。
図１に示すように、椅子型マッサージ機１０の椅子本体１０ａは、支持脚部１１にて支持された座部１２の後端に背もたれ部１３が組み付けられるとともに、座部１２の前端にオットマン１４が組み付けられてなる。また、着座した使用者の腕部を置くことのできる肘掛け部１５が座部１２の左右に設けられている。また、肘掛け部１５の近傍には、使用者によるマッサージ機１０の各部を操作可能な操作器１６が設けられている。
【００１４】
背もたれ部１３には、施療子１７ａを有するマッサージ機構１７が内装されるとともに、背もたれ部１３の上下方向及び左右方向にマッサージ機構１７（施療子１７ａ）を所定量移動可能に構成されている。
【００１５】
オットマン１４は、使用者の脚部のうち下腿部分を保持するための脚部用保持部２１と、足先部分の足裏部分を保持するための足部用保持部２２とを別体に設けたものである。ここでの「下腿部分」は膝から足首までの部分を意味し、「足先部分」は足首から先の部分を意味する。
【００１６】
オットマン１４の脚部用保持部２１は、使用者の下腿部分の裏側（脹脛）から保持可能な２つの下腿保持面２１ａと、各下腿保持面２１ａの左右両側から延出する側壁２１ｂとを有している。このため、各側壁２１ｂ間に使用者の脚部（下腿）を挿入可能となっている。脚部用保持部２１の各側壁２１ｂには、膨収動作が可能なエアバッグ２３が内装されている。また、オットマン１４の足部用保持部２２は、使用者の足裏部分を保持可能な１つの足裏保持面２２ａと、この足裏保持面２２ａの左右方向両側から延出する側壁２２ｂとを有している。足部用保持部２２には、膨収動作が可能なエアバッグ２４が内装され、そのエアバッグ２４の足裏保持面２２ａ側には使用者の足裏部分の形状に合わせて設けられたヒータ２６がエアバッグ２４の上面に配置されている。ヒータ２６は、足部用保持部２２の足裏保持面２２ａを介して使用者の足裏部分に熱を付与するように構成されている。
【００１７】
このようなオットマン１４は、本実施形態では、スライド機構３０によってオットマン１４が前後方向に移動可能に構成されるとともに、座部１２の下部に収納される収納状態と、座部１２の前方にオットマン１４が露出されてオットマン１４を使用可能な使用状態とに切り替え可能となっている。
【００１８】
操作器１６は、マッサージ機１０の主電源スイッチ（図示略）のオン状態に基づいて操作が可能となる。また、操作器１６には、図３に示すように、現在のマッサージ部位やその強さ等のマッサージ機１０の状態が表示される表示部６１が設けられている。表示部６１には、ヒータ２６の温度レベルを示す温感表示部６１ａと、エアバッグ２３，２４によるマッサージの強さを示すエアー表示部６１ｂとが設けられている。また、操作器１６には、マッサージ機構１７及び図２にて示すエアポンプ５１を駆動可能な状態にさせるか否かを選択する起動スイッチ６２と、複数のマッサージ駆動パターンから選択可能なコース選択スイッチ６３と、表示部６１に表示される設定、例えば各マッサージコースの詳細な設定を選択可能な設定選択スイッチ６４と、選択した設定を決定する決定スイッチ６５とが設けられている。また、操作器１６の設定選択スイッチ６４が設けられた下側部分には、エアバッグ２３，２４によるマッサージと連携してヒータ２６を駆動し使用者の足部及び脚部を中心とした温熱施療を行う温熱施療モードを開始又は停止させる足マッサージスイッチ６６と、ヒータ２６を駆動状態又は非駆動状態にさせる温感スイッチ６７と、エアバッグ２３，２４によるマッサージを開始又は停止するエアースイッチ６８とが設けられている。そして、使用者にて操作器１６の各スイッチ６３〜６８が選択されることで制御部５２にその操作に応じた信号が出力され、制御部５２による各部の制御が行われるようになっている。
【００１９】
上記のように構成されたマッサージ機１０では、主電源スイッチがオン状態である場合に、操作器１６や制御部５２に電力が供給された状態となっている。この状態において、図４に示すように所定時間Ｔａ１に操作器１６に設けられる起動スイッチ６２がオンされることで、制御部５２は、使用者が操作器１６の各コース選択スイッチ６３による各種コースプログラム等の選択が可能な初期状態Ｓ１に移行する。そして、所定時間Ｔａ２においてコース選択スイッチ６３のいずれかが操作されることで、制御部５２は、使用者がマッサージの設定を行うことができる設定操作期間Ｃ１に移行する。制御部５２は、この設定操作期間Ｃ１に移行するまでは、操作器１６の温感スイッチ６７が操作されてもヒータ２６を駆動できないように設定している（駆動禁止状態Ｈ１）。そして、設定操作期間Ｃ１に移行すると、制御部５２はヒータ２６を駆動可能な駆動許可状態Ｈ２に切り替え、温感スイッチ６７の操作に基づいてヒータ２６に所定の電流を印加するようになっている。
【００２０】
その後、所定時間Ｔａ３において、使用者が設定選択スイッチ６４を操作して各コースプログラムの詳細な設定が選択され決定スイッチ６５により決定されると、制御部５２は、その設定に基づいて各コースプログラムを実施するマッサージ動作期間Ｍａ１に移行する。マッサージ機構１７及びエアバッグ２３，２４（エアポンプ５１）は、制御部５２の制御に基づいて各コースプログラムに合わせたマッサージを実施する。このマッサージ動作期間Ｍａ１においての制御部５２は、引き続き駆動許可状態Ｈ２としてヒータ２６を駆動可能に設定する。この駆動許可状態Ｈ２においても、使用者が温感スイッチ６７を操作することでヒータ２６の駆動及びその停止を切り替えることができる。
【００２１】
マッサージ動作期間Ｍａ１の所定時間Ｔａ４において、使用者がマッサージコースを変更すべく各コース選択スイッチ６３を操作すると、制御部５２は、マッサージを停止させマッサージの設定を行うことができる設定操作期間Ｃ２に移行する。この設定操作期間Ｃ２においても先の設定操作期間Ｃ１と同様に、制御部５２は駆動許可状態Ｈ２としておりヒータ２６の駆動可能な状態が維持されるように設定されている。使用者が設定選択スイッチ６４を操作して各コースプログラムの詳細な設定が選択され決定スイッチ６５により決定されると、制御部５２は再びマッサージ動作期間Ｍａ２に移行する。マッサージ機構１７及びエアバッグ２３，２４は、制御部５２の制御に基づいてマッサージを実施する（所定時間Ｔａ５）。このマッサージ動作期間Ｍａ２においても先のマッサージ動作期間Ｍａ１と同様に、制御部５２は駆動許可状態Ｈ２として使用者による温感スイッチ６７の操作に基づいてヒータ２６の駆動及びその停止の切り替えが可能となっている。そして、所定時間Ｔａ６において制御部５２は、所定のマッサージコースの終了に伴ってマッサージ機構１７及びエアバッグ２３，２４の動作を停止させると同時にヒータ２６の駆動を禁止し、使用者が温感スイッチ６７を操作してもヒータ２６が駆動できない設定とする（駆動禁止状態Ｈ３）。
【００２２】
次に、足マッサージを中心とした温熱施療モードについて説明する。図５に示すように、所定時間Ｔｂ１おいて起動スイッチ６２がオンされることで制御部５２は初期状態Ｓ１に移行し、所定時間Ｔｂ２において足マッサージスイッチ６６がオンされると、制御部５２は、エアバッグ２３，２４によるマッサージと同時にヒータ２６を駆動して使用者の足部及び脚部を中心とした温熱施療を行う温熱施療モード（マッサージ動作期間Ｍｂ１）に移行する。尚、このモードでは、詳細な設定が省略されており、直接的にマッサージ動作期間Ｍｂ１に移行する。そして、制御部５２は、マッサージコースの終了に伴ってエアバッグ２３，２４の動作を停止させると同時にヒータ２６も停止させる（所定時間Ｔｂ３）。尚、温熱施療モードにおいても、使用者の温感スイッチ６７の操作にて、ヒータ２６の駆動及びその停止を切り替えることができる。
【００２３】
因みに、初期状態Ｓ１において使用者がエアースイッチ６８を操作するとエアバッグ２３，２４のみによるマッサージが開始されるが、このマッサージ動作期間（図示略）においても使用者の温感スイッチ６７の操作にて、ヒータ２６の駆動及びその停止を切り替えることができる。
【００２４】
この実施形態は、以下の効果を奏する。
（１）本実施形態のマッサージ機１０の制御部５２は、使用者の設定に基づいて各コースプログラムを実施するマッサージ動作期間Ｍａ１，Ｍａ２，Ｍｂ１、及び使用者がマッサージの詳細な設定を行う設定操作期間Ｃ１，Ｃ２に移行するまでは、操作器１６の温感スイッチ６７が操作されてもヒータ２６の駆動を禁止するように設定されている。これにより、使用者がマッサージ機１０（マッサージ機構１７やエアバッグ２３，２４）を使用していないときに不意に温感スイッチ６７が操作されても、制御部５２からヒータ２６に電力が供給されることがなく、省電力化を図ることができる。また、各マッサージコースの終了と同時にヒータ２６が停止（駆動禁止）するため、これによっても省電力化を図ることができる。
【００２５】
（２）操作器１６には足マッサージスイッチ６６が設けられ、エアバッグ２３，２４によるマッサージと同時にヒータ２６を駆動して使用者の足部及び脚部を中心とした温熱施療を行う温熱施療モード（マッサージ動作期間Ｍｂ１）を実施することができる。これにより、使用者は、容易な操作にてヒータ２６の位置に応じた温熱施療を受けることができる。
【００２６】
（３）操作器１６には温感スイッチ６７が設けられ、マッサージ動作期間Ｍａ１，Ｍａ２，Ｍｂ１、及び設定操作期間Ｃ１，Ｃ２においてヒータ２６の駆動とその停止を切り替えることができる。これにより、使用者の好みに合わせてヒータ２６の動作を選択することができる。
【００２７】
（４）足部用保持部２２にはエアバッグ２４が内装され、エアバッグ２４と対をなすヒータ２６がそのエアバッグ２４の上面に配置されている。これにより、エアバッグ２４の膨収動作によってヒータ２６の押付け度合い、即ちヒータ２６から使用者の足裏への熱伝達量を調整しマッサージ感を変化させることができる。
【００２８】
尚、本発明の実施形態は、以下のように変更してもよい。
・上記実施形態では、ヒータ２６をエアバッグ２４の上面に配置したが、これに限定されない。例えば図６に示すように、エアバッグ７１を例えば四角箱状の断熱部材７２に内装し、断熱部材７２の上面にヒータ７３を配置してよい。尚、図６の形態では、断熱部材７２の上面側に貫通孔７２ａが設けられ、エアバッグ７１の上面に配置される突出部材７４を貫通孔７２ａから突出させている。そして、エアバッグ７１の膨収動作に伴って使用者の足裏部分に対して突出部材７４によりマッサージすると同時にヒータ７３にて熱を付与し温熱施療を行うようになっている。このようにエアバッグ７１とヒータ７３との間に断熱部材７２が介在することで、ヒータ７３からエアバッグ７１に伝わる熱を低減することができる。つまり、ヒータ７３からの熱を使用者側に効率良く伝達できて省電力化が可能となり、またエアバッグ７１の熱の影響を抑えることもできる。また、突出部材７４を用いていることで、局所的なマッサージを行うことができる。
【００２９】
また、図７に示すように、脚部用保持部２１の側壁２１ｂの対向する面にエアバッグ７６とヒータ７７とを対向させて配置してもよい。脚部用保持部２１は、各側壁２１ｂ間に挿入される使用者の脚部（下腿）をエアバッグ７６の膨張にてヒータ７７側に押し付けるようにしてマッサージを実施することができる。
【００３０】
・上記実施形態では、足裏を支持する足部用保持部２２にヒータ２６を設けたがこれに限らず、例えば、座部１２、背もたれ部１３、肘掛け部１５、脚部用保持部２１等、身体を支持する部材（施療子１７ａを除く）にヒータ２６を配置してもよい。また、各部位にヒータ２６を複数設けてもよい。
【００３１】
・上記実施形態では、各マッサージ動作期間Ｍａ１，Ｍａ２，Ｍｂ１及び設定操作期間Ｃ１，Ｃ２においてヒータ２６の駆動を許可する設定としたが、例えばマッサージ動作期間のみ、又は設定操作期間のみでヒータ２６の駆動を許可する設定としてもよい。
【００３２】
・上記実施形態における設定操作期間Ｃ２に時間制限を設け、所定時間が経過した後に停止前のマッサージを再開する、又はマッサージの設定を初期化する初期状態Ｓ１に移行する等の設定としてもよい。
【００３３】
・上記実施形態において、マッサージ動作期間Ｍａ１，Ｍａ２，Ｍｂ１及び設定操作期間Ｃ１，Ｃ２は一例であり、適宜変更してもよい。
・上記実施形態の足マッサージを中心とした温熱施療モードにおいて、マッサージ機構１７による背中のマッサージを組み込んでもよい。
【００３４】
・上記実施形態において、マッサージ動作期間Ｍａ１，Ｍａ２，Ｍｂ１及び設定操作期間Ｃ１，Ｃ２に移行していない状態、即ちヒータ２６の駆動が禁止された期間で温感スイッチ６７が操作された場合に、操作器１６の表示部６１にエラー表示を行う又は警告音を鳴らす等、使用者に不意な操作を報知する手段を備えてもよい。
【００３５】
・上記実施形態では、マッサージ手段としてマッサージ機構１７（施療子１７ａ）及びエアバッグ２３，２４（エアポンプ５１）を用いたが、例えば振動を用いるマッサージ手段等の他のマッサージ手段を用いてもよい。
【００３６】
・上記実施形態では、オットマン１４をスライド機構３０によって座部１２の下部に収納可能に構成したが、スライド機構３０を省略しオットマン１４の収納が不能な構成に変更してもよい。
【００３７】
・上記実施形態において、背中のマッサージを行うマッサージ機構１７を省略した構成に変更してもよい。
・上記実施形態では、座部１２の後部に背もたれ部１３を備えた椅子型のマッサージ機１０に適用したが、例えば使用者が寝た状態で使用可能なベッド（マット）タイプのマッサージ機や、特定部位のみのマッサージを行うその他のマッサージ機に適用してもよい。
【符号の説明】
【００３８】
１０…マッサージ機、１７…マッサージ機構（マッサージ手段）、１７ａ…施療子（マッサージ手段）、２２…足部用保持部（支持部材）、２３，２４，７１，７６…エアバッグ（マッサージ手段）、２６，７３，７７…ヒータ（熱源）、５１…エアポンプ（マッサージ手段）、５２…制御部、６６…足マッサージスイッチ（スイッチ）、７２…断熱部材、Ｃ１，Ｃ２…設定操作期間、Ｍａ１，Ｍａ２，Ｍｂ１…マッサージ動作期間。
【図１】
0005437291.tif 000002
【図２】
0005437291.tif 000003
【図３】
0005437291.tif 000004
【図４】
0005437291.tif 000005
【図５】
0005437291.tif 000006
【図６】
0005437291.tif 000007
【図７】
0005437291.tif 000008